(57)【特許請求の範囲】
【請求項１】
カップ部を有する衣類であって、
一対のカップ部、カップ部を支持するカップ支持部およびバック布を備え、
前記カップ支持部は、前記一対のカップ部の下縁に設けられ、
前記バック布は、前記カップ支持部の脇側に取り付けられ、
前記カップ部の肌側には、保形布が、前記カップ部の脇側部分と前中心側部分とを互いに引き寄せるように、前記カップ部の下縁部に架け渡されており、
前記保形布は、伸縮性素材を含んでおり、且つ、その上辺を折り返して装着すべきパッドを挟み込んで保持するための折り返し部が形成されている、
ことを特徴とするカップ部を有する衣類。
【請求項２】
前記折り返し部分の幅が、保形布の全幅の３分の１から３分の２の範囲である請求項１記載のカップ部を有する衣類。
【請求項３】
前記カップ支持部が、変形可能に形成されている、請求項１または２に記載のカップ部を有する衣類。
【請求項４】
前記保形布の上辺が、前記脇側部分よりも前記前中心側部分の方の位置が低くなるように設けられている、請求項１から３のいずれか一項に記載のカップ部を有する衣類。
【請求項５】
さらにパッドを有しており、前記パッドが、前記保形布が上辺で折り返されている部分に挿入されている、請求項１から４のいずれか一項に記載のカップ部を有する衣類。
【請求項６】
前記カップ支持部が、布材を重ね合わせて形成されている、請求項１から５のいずれか一項に記載のカップ部を有する衣類。
【請求項７】
衣類がブラジャーである、請求項１から６のいずれか一項に記載のカップ部を有する衣類。
【請求項８】
衣類が、さらに衣類本体部を有している、請求項１から６のいずれか一項に記載のカップ部を有する衣類。
【請求項９】
前記衣類本体部が前記カップ支持部の下に取り付けられている、請求項８に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、バストトップの位置を上方に引き上げ、かつ胸の谷間をくっきりさせてバストを豊かに見せるために、カップ部の肌側にパッドを装着したものや、カップ部の肌側の厚みに変化を持たせたものがある。例えば、特許文献１には、ボリュームの少ないバストであっても、左右のバスト間に谷間を形成するとともに、前中心側上部にボリュームがでるようにバストを押し上げるブラジャーが開示されている。
【先行技術文献】
【特許文献】
【０００３】
【特許文献１】特開２００７−２５４９２１号公報
【発明の概要】
【発明が解決しようとする課題】
【０００４】
ところで、ブラジャー等のカップ部を有する衣類は、所定のサイズごとに、基準となるボリュームのバストにフィットするように設計されている。そして、着用者は、これらのサイズの中から一番自分のバストにフィットするサイズを適宜選択している。しかし、着用者のバストのボリュームは、必ずしもカップサイズに完全に一致するわけではなく、選択したサイズが着用者のバストに充分フィットしないこともある。また、前記衣類では、通常、左右のカップ部のサイズは同じサイズに設計されているが、着用者の中には、左右のバストのボリュームが異なる人もいるため、このような場合にも左右のカップ部をそれぞれのバストにしっかりフィットさせることが難しいという問題もあった。
【０００５】
そこで、本発明は、着用者のバストボリュームが予め設定されたカップサイズと多少異なる場合でも、バストにしっかりフィットすることができるカップ部を有する衣類を提供することを目的とする。
【課題を解決するための手段】
【０００６】
前記目的を達成するために、本発明のカップ部を有する衣類は、一対のカップ部、カップ部を支持するカップ支持部およびバック布を備え、
前記カップ支持部は、前記一対のカップ部の下縁に設けられ、
前記バック布は、前記カップ支持部の脇側に取り付けられ、
前記カップ部の肌側には、保形布が、前記カップ部の脇側部分と前中心側部分とを互いに引き寄せるように、前記カップ部の下縁部に架け渡されており、
前記保形布は、伸縮性素材を含んでおり、その上辺が折り返して形成されていることを特徴とする。
【０００７】
この構成では、保形布は、着用状態で、バストのバージスラインに近接するカップ部の下縁に架け渡されており、バストの下側部分を包み込むように伸び、バストを上方へ押し上げる。保形布は、バストボリュームに対応して保形布の伸び代が変化するため、バストボリュームがカップサイズと多少異なっていても、バストに充分フィットした状態に維持される。また、保形布の上辺は、折り返すことによって伸び難くなっているため、バストを上方へしっかり押し上げることができる。
【発明の効果】
【０００８】
本発明のカップ部を有する衣類は、着用者のバストボリュームがカップ部のサイズと多少異なる場合でも、バストにしっかりフィットすることができる。
【図面の簡単な説明】
【０００９】
【図１】図１は、本発明のカップ部を有する衣類の一例である、第一の実施形態に係るブラジャーを示す斜視図である。
【図２】図２は、前記第一の実施形態に係るブラジャーのカップ部付近を背面側から見た図である。
【図３】図３は、前記第一の実施形態に係るブラジャーのカップ部をＩ−Ｉ方向に見た断面図である。（ａ）は、パッドを装着していない状態を、（ｂ）は、パッドを装着する場合のパッド位置を示す図である。
【図４】図４は、前記第一の実施形態に係るブラジャーのカップ部を上方向から見た図である。
【図５】図５は、前記第一の実施形態に係るブラジャーにおいて、パッドの装着状態を示す断面図である。（ａ）は、パッドのサイズが大きい場合を、（ｂ）は、パッドのサイズが小さい場合を、（ｃ）は、パッドのサイズがより大きい場合を示す図である。（ｄ）は、折り返し部分の幅が長い場合を示す図である。（ｅ）は、パッドを肌側に取り付ける場合を、（ｆ）は、パッドをカップ部の肌側に取り付ける場合を示す図である。
【図６】図６は、前記第一の実施形態に係るブラジャーの変形例である、折り返し部分をバスト側に設けたブラジャーを示す図である。（ａ）は、前記ブラジャーのカップ部をＩ−Ｉ方向に見た断面図である。（ｂ）は、前記ブラジャーの変形例のカップ部付近を背面側から見た図である。
【図７】図７（ａ）および（ｂ）は、前記第一の実施形態に係るブラジャーの変形例のカップ部をＩ−Ｉ方向に見た断面図である。
【図８】図８（ａ）、（ｂ）および（ｃ）は、前記第一の実施形態に係るブラジャーの変形例のカップ部付近を背面側から見た図である。
【図９】図９は、前記第一の実施形態に係るブラジャーのその他の変形例のカップ部をＩ−Ｉ方向に見た断面図である。
【図１０】図１０は、本発明のカップ部を有する衣類の、第二の実施形態に係るブラジャーを示す図である。（ａ）は、斜視図であり、（ｂ）は、カップ部付近を背面側から見た図である。
【図１１】図１１は、本発明のカップ部を有する衣類の、第三の実施形態に係るブラジャーを示す図である。（ａ）は、斜視図であり、（ｂ）は、カップ部付近を背面側から見た図である。
【図１２】図１２は、本発明のカップ部を有する衣類の、第四の実施形態に係るブラジャーを示す図である。（ａ）は、斜視図であり、（ｂ）は、カップ部付近を背面側から見た図である。
【図１３】図１３は、本発明のカップ部を有する衣類のその他の例を示す斜視図である。（ａ）は第五の実施形態に係るボディスーツ、（ｂ）は第六の実施形態に係るブラスリップの一例である。
【図１４】図１４は、本発明のカップ部を有する衣類のその他の例である、第七の実施形態に係るブラキャミソールを示す図である。（ａ）は斜視図、（ｂ）は着用状態でカップ部のバストに接する面と反対側の面が身頃内側に接するように裏返した状態でカップ部付近を前面側から見た図、（ｃ）は同じく背面側から見た図である。
【図１５】図１５（ａ）および（ｂ）は、前記ブラキャミソールの変形例を示す図であり、着用状態でカップ部のバストに接する面と反対側の面が身頃内側に接するように裏返した状態で背面側から見た図である。
【図１６】図１６は、着用評価におけるブラジャーの状態を示す図であり、（ａ）は、着用前のブラジャー１００を側面から見た模式断面図、（ｂ）は、バストサイズが大きい着用者がブラジャー１００を着用した状態を側面から見た模式断面図、（ｃ）は、バストサイズが小さい着用者がブラジャーを着用した状態を側面から見た模式断面図である。
【図１７】図１７は、従来品のノンワイヤータイプのブラジャーを、非装着時の状態においてカップ部を上方向から見た一例の図である。
【発明を実施するための形態】
【００１０】
本発明のカップ部を有する衣類について、例をあげて説明する。ただし、本発明は、以下の例に限定および制限されない。
【００１１】
（第一の実施形態）
図１から図４に、本発明のカップ部を有する衣類の第一の実施形態に係るブラジャー１００を示す。図１は、バック布１０３を係止した状態の本実施形態のブラジャー１００の斜視図であり、図２は、本実施形態のブラジャー１００のカップ部付近を背面側から見た図である。図３は、前記ブラジャー１００のカップ部をＩ−Ｉ方向に見た断面図である。図３（ａ）は、パッドを装着していない状態のブラジャー１００のカップ部の断面図、図３（ｂ）は、パッドを装着する場合のパッド位置を示したブラジャー１００のカップ部の断面図である。図４は、カップ部１０１付近を、図１における上方向から見た図である。前記四図において、同一部分には同一符号を付している。
【００１２】
本実施形態のブラジャー１００は、一対のカップ部１０１、一対のカップ部１０１を支持するノンワイヤーのカップ支持部１０２、一対のバック布１０３および一対の肩ストラップ１０４を備えた、ノンワイヤータイプのブラジャーである。一対のカップ部１０１の下縁には、一対のカップ支持部１０２が設けられ、一対のカップ支持部１０２の下縁には、土台部１１０が設けられている。そして、一対のカップ支持部１０２は、バージスラインに沿うように形成されており、土台部１１０によって連結されている。土台部１１０を介して、カップ支持部１０２の脇側には、一対のバック布１０３の一端が取り付けられている。一対のバック布１０３の他端は、連結係止部１０６が取り付けられて、背中心付近で着脱自在になっている。そして、一対のカップ部１０１の内側（着用時に肌に触れる側）には、伸縮性素材を含む保形布１０５が設けられている。保形布１０５は、カップ部１０１の脇側部分から前中心側部分にかけて下縁部に架け渡されており、カップ部１０１を立体的に保持している。そして、保形布１０５は、その上辺が、カップ部１０１側に折り返されて、折り返し部分１０５ａを形成している。
【００１３】
本実施形態では、保形布１０５は、カップ部１０１の下側部分において、カップ部１０１の脇側部分と前中心側部分とを、図２の矢印の方向に、互いに引き寄せて架け渡されている。これにより、非装着時には、カップ部１０１の立体的形状を保形布１０５によって保持することができる。また、装着時には、保形布１０５によって、バストを包み込むように持ち上げることができる。
【００１４】
保形布１０５は、伸縮性素材を含んでいる。そのため、着用時にバストとカップ部１０１との間のフィット性を高めることができる。前記伸縮性素材としては、例えば、パワーネットを用いることができる。パワーネットは、メッシュ状であってもよいし、端始末不要（フリーカット）のものを用いてもよい。また、前記伸縮性素材としては、例えば、ダンボールニット等、その他の伸縮性の有る布材を用いてもよい。保形布１０５は、伸び縮みが可能であり、伸ばした際に復元力がある素材であればよく、本発明の作用効果を有する限度であれば、部分的に非伸縮性素材が含まれていてもよい。また、メッシュ状の布地を用いてもよい。また、カップ部１０１の脇側部分と前中心側部分とを結ぶ方向において高伸縮であり、前記方向と略直交する方向には非伸縮または難伸縮であってもよい。このような素材としては、例えば、ワンウェイパワーネット、パワーネット、ツーウェイトリコットなどがある。保形布１０５は、非装着時にカップ部１０１をどの程度立体的な状態で保持するのかという点や、装着時にバストを寄せ上げるのに必要な力の大きさを考慮して、前記のような素材から適宜選択すればよい。保形布１０５は、通気性の素材とすると、気温が高い時期であっても快適に着用することができる。
【００１５】
装着時には、保形布１０５は、バストに当接することで、カップ部１０１に沿う方向に伸びる。前記保形布１０５が伸びると、復元力が生じる。したがって、装着時にカップ支持部１０２がバストに押されて、脇側と前中心との距離が広がろうとしても、保形布１０５の復元力によって、カップ支持部１０２の形状を保持することができ、カップ部１０１の形状もつぶれることなく保持することができる。あるいは、保形布１０５の形状や素材によっては、カップ支持部１０２の脇側部分を前中心側に引き寄せようとする力を付与することができ、バストを「寄せる」効果を得ることができる。
【００１６】
また、保形布１０５が、上辺で折り返し部分１０５ａを有することにより、前記脇側部分と前記前中心側部分との間に架け渡された保形布１０５の上辺側の復元力をより高めることができる。また、折り返し部分１０５ａを設けることにより、保形布１０５の上辺側を、折り返しのない部分よりも伸び難くすることができ、前記上辺側部分に当接するバストを押し上げる力を他の部分より大きくできる。これにより、バストを効果的に押し上げることができる。
【００１７】
折り返し部分１０５ａは、バストトップとバスト下部のバージスラインとの間の中間領域に形成されていることが好ましい。前記中間領域に復元力の高い折り返し部分１０５ａが当接すると、前記中間領域について重点的にバストを押圧することができ、効果的にバストアップすることができる。
【００１８】
本発明のカップ部を有する衣類において、前記カップ支持部は、上述のように変形可能に形成することができる。一般に、カップ支持部が変形可能に形成された、例えば、ノンワイヤータイプのブラジャーでは、カップ支持部の剛性が小さいため、立体的な曲面で構成されているカップ部が、非装着状態においてその形状を維持するように保持することができない。このため、店頭に展示する際にカップ部の形状が崩れやすく、効果的なディスプレイが難しかった。図１７に、従来品のノンワイヤータイプのブラジャーを平置きした状態（非装着時の状態）において、カップ部を、装着時の上方向から見た図の一例を示す。図中の二点鎖線は、装着時の形状を示す。このように、ノンワイヤータイプのブラジャーは、カップ支持部の剛性が小さいことで、平置きするとカップ部が広がってしまい、つぶれたような形状になりがちであった。これに対し、図４に示すように、本発明のカップ部を有する衣類である本実施形態に係るブラジャーは、カップ支持部を変形可能に形成した場合であっても、非装着時のカップ形状を立体的に保持することができる。
【００１９】
保形布１０５は、左右両端をそれぞれカップ支持部１０２に引っ張られた状態で連結されているため、折り返し部分１０５ａには、パッドを挟み込んだ状態で保持できる程度の挟持力が発生する。このため、折り返し部分１０５ａには、パッドを挿入して挟み込むことができ、保形布１０５は、パッド受けとして用いることもできる。パッドを挟み込む場合、図３（ｂ）において、二点鎖線で囲んだ部分がパッドの装着位置Ａである。パッドの装着位置Ａは、カップ部１０１の肌側面よりもバストに近い位置となる。このような構成とすると、パッドはバストの当接力によってその位置を調整されつつカップに押しつけられる。このため、パッドのフィット性を高いものとすることができる。また、折り返し部分１０５ａでパッドを挟み込むので、パッドのサイズが大きくても小さくても、パッドを装着しやすいというメリットがある。図５にパッド１２０を装着した状態のブラジャー１００の、図３と同様の断面図を示す。図５（ａ）はパッド１２０のサイズが大きい場合、図５（ｂ）はパッド１２０のサイズが小さい場合を示す。このように、折り返し部分１０５ａはその幅に係わらず、様々な大きさのパッドを装着することができるが、折り返し部分１０５ａの幅を、保形布１０５の全幅（カップ支持部１０２との接続部分と上辺部分との間の長さ）の３分の１から３分の２程度となるように設定することが好ましい。これにより、折り返し部分１０５ａに種々の大きさのパッドを装着し易くすることができる。また、図５（ｃ）に示すように、パッドのサイズがより大きい場合、折り返し部分１０５ａとカップ部１０１との間で上下方向からパッド１２０を挟み込むようにしてもよい。
【００２０】
折り返し部分１０５ａの幅は、上記範囲に限定されるものではなく、例えば、図５（ｄ）に示すように、折り返し部分１０５ａの下辺がカップ部１０１に近接するように設け、折り返し部分１０５ａの下辺とカップ部１０１とを縫着しないものとすることもできる。この場合にも、折り返し部分１０５ａの下辺側はカップ部に接続されていないため、上記実施形態と同様の効果を得ることができる。ただし、折り返し部分１０５ａの幅が長いとパッドは安定して装着できる一方、着脱がスムーズに行い難い。この観点からは、折り返し部分１０５ａの長さは、上記実施形態のように前記全幅よりも短く設定しておくほうが好ましい。
【００２１】
また、図５（ｅ）に示すように、パッド１２０は、保形布１０５の上辺部付近の肌側（バスト側）に取り付けてもよい。この場合、折り返し部分にさらに別のパッドを挟み込んで併用してもよいし、前記肌側のパッドを単独で用いてもよい。肌側に取り付けるパッドは、小さめのサイズのものが好ましい。図５（ｆ）に示すように、パッド１２０は、カップ部１０１の肌側面に取り付けてもよい。パッドは、カップ部１０１に直接取り付けてもよいし、カップ部の肌側にポケット等を設け、その中に挿入してもよい。
【００２２】
上記実施形態では、保形布１０５をカップ部１０１側に折り返して折り返し部分１０５ａを設ける例をあげて説明しているが、本発明はこれに限定されるものではない。例えば、図６（ａ）の断面図に示すように、保形布１０５をカップ部１０１と反対側、すなわち、バスト側に折り返して折り返し部分１０５ｂを設けてもよい。このように、カップ部１０１と反対側に保形布１０５を折り返すことにより、パッドの着脱をより容易に行うことができる。この場合の折り返し部分１０５ｂの幅の長さは、保形布１０５の前記全幅の３分の１から３分の２程度となるように設けてもよいし、折り返し部分１０５ｂの下辺が、図５（ｄ）に示す折り返し部分１０５ａのように、カップ支持部１０２に近接または接触するような長さとしてもよい。
【００２３】
図６（ｂ）には、バスト側に折り返し部分１０５ｂを設けたブラジャーの一例のカップ部付近を背面側から見た図を示す。本例においては、折り返し部分１０５ｂの中央部付近は、アーチ形状の隙間となっており、その他の下端部がカップ支持部１０２に縫着されている。カップ支持部に縫着されていないアーチ形状の部分から、パッドを出し入れすることができる。このように、折り返し部分１０５ｂとカップ支持部１０２との間に隙間を設けておくと、装着時のバストに対するカップ部１０１のフィット性が高く、バージスラインとカップ支持部１０２のフィット性も良好なものとすることができる。
【００２４】
なお、あらかじめ装着するパッドの大きさが決まっている場合には、図７（ａ）の断面図に示すように、折り返し部分１０５ａの端部を保形布１０５と接続して、折り返し部を筒状に形成することもできる。筒状部の中に入れるパッド１２０を比較的小さいものとしておき、筒状部内をパッド１２０が移動可能となるようにしてもよい。このようにすると、バストとカップ部１０１との間で、隙間が大きい部分にパッド１２０が入り込むことにより、ブラジャー装着時のフィット性を高めることができる。パッド１２０を入れない場合でも、折り返し部１０５ａを筒状に形成し、上述のバストの押圧効果を得ることもできる。また、パッド１２０の代わりに、樹脂パネル等の剛性のある素材を入れて、バスト形状の補正を行うことも可能である。また、図７（ｂ）に示すように、折り返し部分１０５ａの端部を、保形布の下部またはカップ支持部１０２と接続して、前記筒状部を幅広に設けてもよい。
【００２５】
前記筒状部は、パッドを入れた状態で形成してもよいし、挿入口１３０を設けておき、パッドの出し入れを可能なものとしてもよい。図８に前記筒状部を有する態様のブラジャーのカップ部付近を背面側から見た図を示す。挿入口１３０は、図８（ａ）に示すように、保形布１０５の上辺部に設けてもよいし、図８（ｂ）に示すように折り返し部１０５ａの幅方向に設けてもよい。挿入口１３０は、肌側に設けてもカップ側に設けてもよいが、肌当たりの点からは、カップ側に設けることが好ましい。また、前記筒状部は、図８（ｃ）に示すように、カップ部の横方向全体に設けずに、部分的に形成してもよい。この場合、パッドの出し入れを容易にすることができる。形成する筒状部の長さは、パッドを保持することができればよいが、パッドの横幅と同等かそれ以上あることが、安定して保持できるので好ましい。
【００２６】
保形布１０５は、折り返し部分１０５ａを、他の部分よりも伸度を低くしておくことも好ましい。このようにすることで、バストをより強く押し上げることができる。折り返し部分１０５ａの伸度を低くするためには、折り返し部分１０５ａを、低伸度の素材を接ぎ合わせて形成してもよいし、保形布１０５として予め伸度を切り替えた布地を用いてもよい。折り返し部分１０５ａにゴム等の素材を塗布することで、塗布部分の伸度を低くすることもできる。別部材を接ぎ合わせて形成する場合には、図９に示すように、接合部分を、バストに直接触れないカップ側になるように設けることが好ましい。図９では、折り返しがカップ側にされているが、これに限定されず、バスト側に折り返し部分を設けてもよい。
【００２７】
保形布１０５は、装着時には、バストに押圧されて、カップ部１０１側に変位する。この際、保形布１０５は、バストの押圧力によってカップ部１０１側に近接、または、接触する位置まで伸びながら変位する。これにより、カップ部１０１をバストにフィットさせることができる。ここで、バストに装着したときの保形布１０５の上辺側（折り返し）部分長さは、非装着時の長さを基準として、例えば、１０５パーセント〜１３５パーセントの範囲となるように、カップ支持部１０２に取り付けることが好ましい。前記基準とする長さは、パッドを装着していない状態で計測した長さである。この範囲にあることで、装着時のバストとカップ部１０１との間のフィット性をより良好にし、優れたバストの造形性と、快適な着用感とを得ることができる。
【００２８】
また、保形布１０５は、長手方向（脇側部分と前中心側部分とを結ぶ方向）に予め伸ばした状態でカップ支持部１０２に取り付けられているため、非装着時にはカップ支持部１０２の脇側部分と前中心側部分とを互いに引き寄せるように保持している。このため、非装着時においてもカップ形状が崩れない。よって、店頭での展示も効果的に行うことができる。なお、本発明において、保形布の伸縮性は、上記範囲に限定されるものではなく、バストサイズやカップ部の撓み易さ等を勘案して適宜設定すればよい。
【００２９】
なお、カップ部１０１の肌側に保形布１０５があり、これによってバストを寄せ上げる本実施形態のブラジャーでは、例えば、バストサイズに左右差があっても保形布１０５の伸縮によって左右差を吸収することができる。このように、従来は、カップ部に異なる大きさのパッド等を装着することで左右差を解消していた場合であっても、本実施形態のブラジャーでは、パッド等を用いることなく、あるいは、同じ大きさのパッドの装着で同様の効果を得ることができる。
【００３０】
本実施形態において、保形布１０５は、その上辺が、カップ支持部１０２の脇側部分よりも前中心側部分の方の位置が低くなるように架設されている。このように架設すると、上記において、バストを「寄せる」とともに、脇側から前中心側に向けて「上げる」方向に、バストをより効果的に押圧することができる。
【００３１】
本実施形態において、カップ支持部１０２は、布材を重ね合わせて形成されている。このように、本発明においては、カップ支持部は、剛直なワイヤー等を設ける必要はなく、変形可能なものであってもよく、カップ支持部１０２は、ノンワイヤーでもよいし、剛性の低い樹脂ワイヤーや、前記樹脂ワイヤーと同程度の剛性を有する金属ワイヤー等を設けていてもよい。前記金属ワイヤーとしては、径が小さい（細い）ものや、剛性の低いチタン等の材料を用いて形成されたワイヤーを用いることができる。また、カップ支持部１０２のワイヤーには、剛直な金属ワイヤーを用いてもよい。上記のように、布材を重ね合わせてカップ支持部１０２を形成する場合には、バージスラインに沿うような湾曲形状を有する布テープを重ね合わせて用いてもよい。
【００３２】
上述のとおり、本実施形態のブラジャーは、剛直なワイヤーやパッドを設ける必要がなく、これら部材を設けたブラジャーと同等の効果を得ることができる。さらに、ブラジャーを軽量化することが可能である。また、ワイヤーのような硬い部材や、形状が変化し難い部材を用いる必要がないので、例えば、旅行等で持ち運びする際にも、コンパクトな収納が可能である。
【００３３】
なお、本実施形態においては、土台部１１０は、脇部分まで延設されているが、カップ部１０１の下縁途中まで延設されているものであってもよい。土台部１１０を設けることで、アンダーバスト部分での装着安定性を向上させることができる。
【００３４】
本例のブラジャーでは、連結係止部１０６として、ホック（例えば、フック・アンド・アイ（鈎ホック））を使用しているが、他の種類の係止具を使用してもよい。また、バック布１０３が連結係止部１０６を有していなくてもよい。例えば、連結係止部１０６を前中心に設けてフロントホックタイプとしてもよい。また、連結係止部１０６がないタイプ、バック布を結んで係止するタイプであってもよい。
【００３５】
肩ストラップ１０４の一端はカップ部１０１に取り付けられ、他端はバック布１０３の上辺に取り付けられた円環の係止具１０８ａを通って反転し、エイト環からなる長さ調節具１０８ｂに導入されることによって、肩ストラップ１０４の長さ調整が可能な状態で、肩ストラップ１０４の他端側が、バック布１０３の上辺に取り付けられている。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック布１０３に取り付ける態様に限定されず、例えば、スポーツタイプのブラジャーの肩ストラップのように、背中側で２本の肩ストラップ１０４が一体となりバック布１０３に取り付けられる態様であってもよい。また、肩ストラップ１０４を有しない、ストラップレスの形態とすることもできる。
【００３６】
前記連結係止部１０６としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００３７】
（第二の実施形態）
図１０に、本発明のカップ部を有する衣類の第二の実施形態に係るブラジャー２００を示す。図１０（ａ）は、バック布１０３を係止した状態の本実施形態のブラジャー２００の斜視図であり、図１０（ｂ）は、本実施形態のブラジャー２００のカップ部付近を背面側から見た図である。本実施形態においては、土台部が設けられておらず、カップ支持部１０２は、前中心部材２０７によって連結されている。そして、カップ支持部１０２の脇側に、直接、一対のバック布１０３の一端が取り付けられている。このように、土台部を設けない態様であっても、バストの造形性に優れ、非装着時のカップ形状も崩れにくいという本発明の効果を奏することができ、デザインのバリエーションを多彩なものとすることができる。
【００３８】
ブラジャー２００は、前述のとおり、カップ支持部１０２の前中心側に前中心部材２０７を連結することで、一対のカップ部１０１が互いに連結されているが、前中心部材２０７と保形布１０５との位置関係については、次のとおりである。カップ支持部１０２の前中心側部分において、保形布１０５が架け渡されてカップ支持部１０２と連結されている位置は、カップ支持部１０２と前中心部材２０７との連結位置よりも下方に設けられている。このように、保形布の連結位置を前中心部材よりも下方とすることで、バストをより前中心側に、寄せるようにして持ち上げることができる。
【００３９】
（第三の実施形態）
図１１に、本発明のカップ部を有する衣類の第三の実施形態に係るブラジャー３００を示す。図１１（ａ）は、バック布１０３を係止した状態の本実施形態のブラジャー３００の斜視図であり、図１１（ｂ）は、本実施形態のブラジャー３００のカップ部付近を背面側から見た図である。本実施形態においては、カップ部１０１は、通気性部材３１１を介してカップ支持部１０２と接続されている。
【００４０】
通気性部材３１１としては、メッシュ状の布材等を使用することができる。バスト周辺では、バージスラインの直上方部分において、発汗量が最も多くなる。カップ部１０１とカップ支持部１０２との間に通気性部材３１１を設けることにより、汗をかきやすい部分の風通しが良くなる。前記箇所に通気性部材３１１を設けると、着用時のバージスライン周辺の通気性が良好なものとなり、快適な着用感のブラジャーを提供することができる。その他の構成は、前記の実施形態一と同様であり、同様の効果を得ることができる。
【００４１】
（第四の実施形態）
図１２に、本発明のカップ部を有する衣類の第四の実施形態に係るブラジャー４００を示す。図１２（ａ）は、バック布１０３を係止した状態の本実施形態のブラジャー４００の斜視図であり、図１２（ｂ）は、本実施形態のブラジャー４００のカップ部付近を背面側から見た図である。本実施形態においては、保形布１０５は、カップ部１０１の下縁部と隙間を形成するように架け渡されている。
【００４２】
バストを効果的に持ち上げるには、バストトップとバスト下部のバージスラインとの間の中間領域を押し上げることが効果的である。前記中間領域部分のバストを効果的に持ち上げるには、保形布１０５をカップ部１０１の下縁部に縫着せずに隙間を形成するようにするとよい。
【００４３】
また、保形布に作用する復元力を高く設定し、バストを押し上げる力が大きくなるようにしておく場合には、装着時にカップ部１０１の下縁部がバストにフィットし難くなりやすい。カップ部１０１の下縁部周辺は、元々、バストとのフィット性が高い部分である。この部分に復元力が高くなる状態で保形布を配置すると、バストがカップ部１０１にフィットしようとする力によって、保形布が十分伸ばされない状態のままでカップ部１０１やカップ支持部１０２を押し下げてしまうことがある。この場合、バージスラインとカップ部１０１下縁部（カップ支持部１０２）とがフィットしないこととなる。本実施形態のように、保形布１０５とカップ部１０１下縁部との間に隙間を設けておくと、装着時のバストに対するカップ部１０１のフィット性が高く、バージスラインとカップ支持部１０２のフィット性も良好なものとしつつ、非装着時のカップ部１０１も立体的に保持することができる。その他の構成は、前記の実施形態一と同様であり、同様の効果を得ることができる。
【００４４】
（第五の実施形態）
図１３（ａ）に、本発明のカップ部を有する衣類のその他の例として、ボディスーツ７００の斜視図を示す。
【００４５】
このボディスーツ７００のブラジャー相当部分は、図１で説明したブラジャー１００とほぼ同一の概念のもとに設計されている。本態様においては、ボディスーツ７００が、土台部１１０の下側に、衣類本体部であるボディ部７０１とクロッチ部７０２を有している。本例では、ボディ部７０１の一部が本発明におけるバック布となっているが、バック布を別途設けてその下に衣類本体部を取りつけてもよい。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するボディスーツについて説明したが、本発明はこれに限定されず、他の実施形態に係るブラジャー相当部分を有するボディスーツとすることもできる。
【００４６】
（第六の実施形態）
次に、図１３（ｂ）に本発明のカップ部を有する衣類のその他の例として、ブラスリップ８００の斜視図を示す。
【００４７】
このブラスリップ８００のブラジャー相当部分は、図１で説明したブラジャー１００とほぼ同一の概念のもとに設計されている。本態様においては、ブラスリップ８００が、土台部１１０の下側に、胸下部身頃８０１と、さらにそれに連なってスカート部８０２を有している。本例では、胸下部身頃８０１が本発明におけるバック布である。バック布を別途設けてその下に胸下部身頃８０１とスカート部８０２を取りつけてもよいし、バック布の下に直接スカート部８０２を取りつけてもよい。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するブラスリップについて説明したが、本発明はこれに限定されず、他の実施形態に係るブラジャー相当部分を有するブラスリップとすることもできる。
【００４８】
（第七の実施形態）
図１４に本発明のカップ部を有する衣類のその他の例として、ブラキャミソールを示す。図１４（ａ）は斜視図、図１４（ｂ）は、着用状態でカップ部のバストに接する面と反対側の面が身頃内側に接するように裏返した状態でカップ部付近を前面側から見た図、図１４（ｃ）は同じく背面側から見た図である。
【００４９】
このブラキャミソール９００は、キャミソールの身頃内側にブラジャー相当部分が設けられており、前記ブラジャー相当部分は、図１４（ｂ）および（ｃ）に示されるように、図１で説明したブラジャー１００とほぼ同一の概念のもとに設計されている。本態様においては、ブラキャミソール９００は、ブラジャー相当部分を覆うように身頃９０１を有している。また、バック布１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例の構成にすることにより、カップ部１０１のデザインにかかわらず、着用時の外観のバリエーションを多様にすることができる。また、カップ部１０１を、よりアウターにひびかなくすることもできる。
【００５０】
図１５（ａ）および（ｂ）は、前記ブラキャミソールの変形例であり、着用状態でカップ部のバストに接する面と反対側の面が身頃内側に接するように裏返した状態で、図１４（ｃ）と同様に背面側から見た図である。図１５（ａ）に示す変形例においては、バック布９０３ａが連結係止部１０６を有している。この変形例のように、連結係止部１０６を有する態様のブラキャミソールにおいては、バック布９０３ａを身頃９０１に縫着しない態様が考えられる。一方、図１５（ｂ）に示す変形例においては、同図中、連結係止部１０６周辺の２点鎖線で示す領域Ｚ内のバック布９０３ｂの上辺が湾曲している。この変形例では、バック布９０３ｂの領域Ｚ内の連結係止部１０６周辺部分は身頃９０１に縫着されていない。すなわち、バック布９０３ｂは、領域Ｚで囲まれていない部分だけ身頃９０１に縫着されている。この態様では、非装着時において、バック布９０３ｂが身頃９０１から、あまり垂れ下がらないという利点がある。図１５（ａ）および（ｂ）に示す２つの変形例のように、身頃９０１に対してバック布が全体に、または部分的に縫着されず、可動であると、連結係止部１０６を用いてブラジャー相当部分の締め付け具合を微調整することができる。この場合、バック布９０３ａおよび９０３ｂは、例えば、カップ支持部１０２や土台部１０１と接合していればよい。また、円環係止具１０８ａは、身頃９０１上辺に取り付けられていることが好ましい。
【００５１】
（着用評価）
図１に示すタイプの本発明に係るブラジャー１００の、着用評価例を示す。図１６は、前記ブラジャー１００について、異なるバストサイズの着用者が着用した際のブラジャー１００の状態を示す図である。図１６（ａ）は着用前のブラジャー１００、図１６（ｂ）は、バストサイズが大きい着用者がブラジャー１００を着用したとき、図１６（ｃ）は、バストサイズが小さい着用者がブラジャー１００を着用したときを、それぞれ側面から見た模式断面図である。このように、着用者のバストサイズが、予め設定されているカップサイズと多少異なっていても、カップ部１０１よりも肌側の保形布１０５にパッド１２０が保持されているため、バストにパッド１２０をしっかりと当接させることができる。また、バストサイズが予め設定されているカップサイズよりも多少小さくても、保形布１０５によって、パッド１２０がカップ部１０１の肌側面から、浮き気味の位置で保持されるため、バストとパッド１２０との間のフィット性を維持することができる。
【００５２】
以上、実施の形態の具体例として、ブラジャー、ボディスーツ、ブラスリップおよびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００５３】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００５４】
１００、２００、３００、４００  ブラジャー
１０１  カップ部
１０２  カップ支持部
１０３、９０３ａ、９０３ｂ  バック布
１０４  肩ストラップ
１０５  保形布
１０５ａ、１０５ｂ  折り返し部分
１０６  連結係止部
１０８ａ  円環係止具
１０８ｂ  長さ調節具
１１０  土台部
１２０  パッド
１３０  挿入口
２０７  前中心部材
３１１  通気性部材
７００  ボディスーツ
７０１  ボディ部
７０２  クロッチ部
８００  ブラスリップ
８０１  胸下部身頃
８０２  スカート部
９００  ブラキャミソール
９０１  身頃
Ａ  パッドの装着位置
【図１】
0005545444.tif 000002
【図２】
0005545444.tif 000003
【図３】
0005545444.tif 000004
【図４】
0005545444.tif 000005
【図５】
0005545444.tif 000006
【図６】
0005545444.tif 000007
【図７】
0005545444.tif 000008
【図８】
0005545444.tif 000009
【図９】
0005545444.tif 000010
【図１０】
0005545444.tif 000011
【図１１】
0005545444.tif 000012
【図１２】
0005545444.tif 000013
【図１３】
0005545444.tif 000014
【図１４】
0005545444.tif 000015
【図１５】
0005545444.tif 000016
【図１６】
0005545444.tif 000017
【図１７】
0005545444.tif 000018